(57)【要約】【課題】排出ローラーを案内面の幅方向における中央部に配置すると、１枚ずつ連続して排出された原稿が、先行する原稿の上に重なった状態で載置されないという課題がある。【解決手段】載置面６ａと段差Ｂ１を介して載置面６ａの上方に位置し、案内面４１ｃ，４１ｄを形成し、排出従動ローラー２８を、原稿の最小サイズに対応する回転軸方向における範囲に全て配置して支持する案内面形成部材４０を備え、案内面形成部材４０において、鉛直壁面４２ｂが、支持部４５の下流側端部４５ａよりも上流側に位置し、且つ、排出従動ローラー２８におけるローラー部２８ａの下流側端部より上流側に位置する媒体搬送装置を提供する。【選択図】図１０
2016160067.tif 000002
【特許請求の範囲】
【請求項１】
給送用載置部に載置された異なるサイズの媒体を搬送し、排出用載置部の載置面に向かって排出する媒体搬送装置であって、
前記媒体を挟持して搬送し排出方向に排出する排出ローラー対と、
前記載置面と段差を介して前記載置面の鉛直方向の上方に位置し、前記媒体を案内する案内面を形成し、前記排出ローラー対のうちの一方の排出ローラーを、前記媒体の回転軸方向の最小サイズに対応する範囲に配置した第１領域において支持する案内面形成部材と、を備え、
前記排出方向における前記案内面形成部材において、前記第１領域よりも前記回転軸方向の外側の第２領域における下流側端部が、前記第１領域における下流側端部よりも上流側に位置し、且つ、前記排出ローラーの下流側端部より上流側に位置することを特徴とする媒体搬送装置。
【請求項２】
請求項１に記載の媒体搬送装置であって、
前記案内面形成部材の前記第２領域における前記下流側端部は、前記回転軸方向において外側に位置するほど、排出方向の上流側に位置することを特徴とする媒体搬送装置。
【請求項３】
請求項１または請求項２に記載の媒体搬送装置であって、
前記案内面形成部材の前記案内面において、前記第２領域の前記排出方向の下流側部分が、前記第１領域の部分より前記鉛直方向において下方に位置することを特徴とする媒体搬送装置。
【請求項４】
請求項３に記載の媒体搬送装置であって、
前記案内面形成部材の前記案内面において、前記第２領域の前記排出方向の下流側部分が、前記回転軸方向において外側に位置するほど、前記第１領域の部分より前記鉛直方向において下方に位置することを特徴とする媒体搬送装置。
【請求項５】
請求項３または請求項４に記載の媒体搬送装置であって、
前記案内面形成部材の前記案内面において、前記第２領域の前記排出方向の下流側部分が、前記排出方向において下流側に位置するほど、前記第１領域の部分より前記鉛直方向において下方に位置することを特徴とする媒体搬送装置。
【請求項６】
請求項３から請求項５のいずれか一項に記載の媒体搬送装置であって、
前記案内面は、前記排出方向に向かって下がる傾斜面を介して前記段差と接続されることを特徴とする媒体搬送装置。
【請求項７】
給送用載置部に載置された異なるサイズの媒体を搬送し、排出用載置部の載置面に向かって排出する媒体搬送装置であって、
前記媒体を挟持して搬送し排出方向に排出する排出ローラー対と、
前記載置面と段差を介して前記載置面の鉛直方向の上方に位置し、前記媒体を案内する案内面を形成し、前記排出ローラー対のうちの一方の排出ローラーを、前記媒体の回転軸方向の最小サイズに対応する範囲に配置した第１領域において支持する案内面形成部材と、を備え、
前記案内面形成部材の前記案内面において、前記第１領域よりも前記回転軸方向の外側の第２領域における前記排出方向の下流側部分が、前記第１領域における部分より摩擦係数が小さいことを特徴とする媒体搬送装置。
【請求項８】
請求項１から請求項７のいずれか一項に記載の媒体搬送装置と、
前記媒体に形成された画像を読み取る読取部と、を備えた画像読取装置。
【請求項９】
請求項１から請求項７のいずれか一項に記載の媒体搬送装置と、
前記媒体に画像を記録する記録部と、を備えた記録装置。
【発明の詳細な説明】
【技術分野】
【０００１】
本発明は、媒体搬送装置、画像読取装置および記録装置に関する。
【背景技術】
【０００２】
媒体としての原稿を１枚ずつ連続して読取部に搬送し、読取部で読み取られた原稿を排出トレイに排出する媒体搬送装置を備えた画像読取装置がある。媒体搬送装置には、原稿を挟持して排出する排出ローラー対が備えられ、排出ローラー対は、読取部で読み取った原稿を案内面に沿って搬送するとともに、排出トレイの載置面に向かって排出する。
原稿が搬送される案内面と排出トレイの載置面との間には、段差が設けられ、排出ローラー対は、段差の上側に備えられる。読取部によって１枚ずつ連続して読み取られた原稿は、排出ローラー対によって排出された順に落下して排出トレイの載置面に載置される（例えば、特許文献１）。
排出ローラー対は、段差の位置より下流側に突出した状態で備えられるので、排出ローラー対によって排出される原稿の排出方向における後端部は、案内面の段差の位置にある上端部に接触することなく、排出トレイに落下する。
排出ローラー対の回転軸の軸方向が、排出方向の直角方向に対して傾斜していると、排出方向に対して傾斜した姿勢で、原稿が排出ローラー対から排出される。また、複数の排出ローラー対を軸方向に直列に並べて配置した場合には、排出ローラー対の外周長さのばらつきにより、排出方向に対して傾斜した姿勢で、原稿が排出ローラー対から排出される。
一方、媒体搬送装置の製造コストの増加を抑制することを目的として、案内面の幅方向において、排出ローラー対を案内面の最大幅の範囲に配置せずに、中央部に配置することが考えられる。
【先行技術文献】
【特許文献】
【０００３】
【特許文献１】特開２００７−１７６６８９号公報
【発明の概要】
【発明が解決しようとする課題】
【０００４】
しかしながら、中央部に排出ローラー対を配置した場合に、排出ローラー対が配置された範囲より長い幅の原稿を搬送させたとき、原稿が排出方向に対して傾斜した姿勢で排出ローラー対から排出されると、原稿の後端側における幅方向の片側端部が、案内面の段差の位置にある上端部に当接した状態で残ってしまうことがある。そのため、排出ローラー対によって次に排出されようとする後続の原稿の先端部が、先行する原稿（後端側における幅方向の片側端部が案内面の上端部に残った状態の原稿）の後端部に衝突する。これにより、先行する原稿が後続の原稿によって押し出されて排出トレイに載置されなかったり、先行する原稿や後続の原稿が湾曲した状態となったりする。このように、排出ローラー対を案内面の幅方向における中央部に配置すると、１枚ずつ連続して排出された原稿が、先行する原稿の上に重なった状態で載置されないという課題がある。
【課題を解決するための手段】
【０００５】
本発明は、上述の課題の少なくとも一部を解決するためになされたものであり、以下の形態または適用例として実現することが可能である。
【０００６】
［適用例１］給送用載置部に載置された異なるサイズの媒体を搬送し、排出用載置部の載置面に向かって排出する媒体搬送装置であって、前記媒体を挟持して搬送し排出方向に排出する排出ローラー対と、前記載置面と段差を介して前記載置面の鉛直方向の上方に位置し、前記媒体を案内する案内面を形成し、前記排出ローラー対のうちの一方の排出ローラーを、前記媒体の回転軸方向の最小サイズに対応する範囲に配置した第１領域において支持する案内面形成部材と、を備え、前記排出方向における前記案内面形成部材において、前記第１領域よりも前記回転軸方向の外側の第２領域における下流側端部が、前記第１領域における下流側端部よりも上流側に位置し、且つ、前記排出ローラーの下流側端部より上流側に位置することを特徴とする媒体搬送装置。
【０００７】
本適用例によれば、前記排出方向における前記案内面形成部材において、前記第１領域よりも前記回転軸方向の外側の第２領域における下流側端部が、前記第１領域における下流側端部よりも上流側に位置し、且つ、前記排出ローラーの下流側端部より上流側に位置する。これにより、排出ローラー対が配置された範囲の第１領域より長い幅の原稿を排出させたとき、媒体の排出方向の後端側における幅方向（回転軸方向）の片側端部が、第２領域の案内面の段差の位置にある上端部に当接した状態で残ることなく、排出用載置部に落下する。すなわち、媒体の前記片側端部が、第２領域の案内面の段差の位置にある上端部に残らない。そのため、先行する媒体が、後続の媒体によって押し出されてしまい、排出用載置部に載置されなかったり、先行する媒体や後続の媒体が排出方向において湾曲した状態となったりすることを抑制できる。従って、排出ローラーを案内面形成部材の軸方向における中央部に配置しても、１枚ずつ連続して排出された媒体が、先行する媒体の上に重なった状態で排出用載置部に載置される。
【０００８】
［適用例２］前記案内面形成部材の前記第２領域における前記下流側端部は、前記回転軸方向において外側に位置するほど、排出方向の上流側に位置することを特徴とする上記媒体搬送装置。
【０００９】
本適用例によれば、排出される媒体の幅方向の長さが長くなるほど、傾斜した媒体の後端側における幅方向の片側端部がさらに排出方向の上流側に位置しても、媒体の後端側における幅方向の片側端部が案内面の上端部に接触する可能性が低くなる。従って、案内面によって搬送可能な最大幅の媒体が排出方向に対して傾斜しても、媒体の前記片側端部が案内面の段差の位置の上端部に接触する可能性が低くなる。
【００１０】
［適用例３］前記案内面形成部材の前記案内面において、前記第２領域の前記排出方向の下流側部分が、前記第１領域の部分より前記鉛直方向において下方に位置することを特徴とする上記媒体搬送装置。
【００１１】
本適用例によれば、媒体が排出されるとき、媒体の前記片側端部が、垂れ下がった形状になっても、媒体の前記片側端部が案内面の段差の位置の上端部に接触する可能性が低くなる。
【００１２】
［適用例４］前記案内面形成部材の前記案内面において、前記第２領域の前記排出方向の下流側部分が、前記回転軸方向において外側に位置するほど、前記第１領域の部分より前記鉛直方向において下方に位置することを特徴とする上記媒体搬送装置。
【００１３】
本適用例によれば、排出される媒体の幅方向の長さが長くなるほど、傾斜した媒体の後端側における幅方向の片側端部がさらに垂れ下がった形状になっても、媒体の後端側における幅方向の片側端部が案内面の上端部に接触する可能性が低くなる。従って、案内面によって搬送可能な最大幅の媒体を排出させたとき、媒体の後端側における幅方向の片側端部が、案内面の段差の位置の上端部に接触する可能性が低くなる。
【００１４】
［適用例５］前記案内面形成部材の前記案内面において、前記第２領域の前記排出方向の下流側部分が、前記排出方向において下流側に位置するほど、前記第１領域の部分より前記鉛直方向において下方に位置することを特徴とする上記媒体搬送装置。
【００１５】
本適用例によれば、媒体が排出されるとき、媒体の片側端部が、案内面の第２領域の排出方向の下流側部分に支持されながら排出用載置部に向かって徐々に落下する。そのため、媒体の搬送方向における上流側の姿勢が水平方向に安定する。
【００１６】
［適用例６］前記案内面は、前記排出方向に向かって下がる傾斜面を介して前記段差と接続されることを特徴とする上記媒体搬送装置。
【００１７】
本適用例によれば、媒体が排出されるとき、媒体の片側端部が、傾斜面に沿って下流側および下方にスライド移動し、排出用載置部に落下する。そのため、媒体の搬送方向における上流側の姿勢が水平方向にさらに安定する。
【００１８】
［適用例７］給送用載置部に載置された異なるサイズの媒体を搬送し、排出用載置部の載置面に向かって排出する媒体搬送装置であって、前記媒体を挟持して搬送し排出方向に排出する排出ローラー対と、前記載置面と段差を介して前記載置面の鉛直方向の上方に位置し、前記媒体を案内する案内面を形成し、前記排出ローラー対のうちの一方の排出ローラーを、前記媒体の回転軸方向の最小サイズに対応する範囲に配置した第１領域において支持する案内面形成部材と、を備え、前記案内面形成部材の前記案内面において、前記第１領域よりも前記回転軸方向の外側の第２領域における前記排出方向の下流側部分が、前記第１領域における部分より摩擦係数が小さいことを特徴とする媒体搬送装置。
【００１９】
本適用例によれば、前記案内面形成部材の前記案内面において、前記第１領域よりも前記回転軸方向の外側の第２領域における前記排出方向の下流側部分が、前記第１領域における部分より摩擦係数が小さい。これにより、排出ローラー対が配置された範囲の第１領域より長い幅の原稿を排出させたとき、媒体の排出方向の後端側における幅方向（回転軸方向）の片側端部が、第２領域の案内面の下流側部分に沿って排出方向の下流側にスライド移動し、第２領域の案内面の下流側部分に当接した状態で残ることなく、排出用載置部に落下する。すなわち、媒体の前記片側端部が、第２領域の案内面の下流側部分に残らない。そのため、先行する媒体が、後続の媒体によって押し出されてしまい、排出用載置部に載置されなかったり、先行する媒体や後続の媒体が排出方向において湾曲した状態となったりすることを抑制できる。従って、排出ローラーを案内面形成部材の軸方向における中央部に配置しても、１枚ずつ連続して排出された媒体が、先行する媒体の上に重なった状態で排出用載置部に載置される。
【００２０】
［適用例８］上記媒体搬送装置と、前記媒体に形成された画像を読み取る読取部と、を備えた画像読取装置。
【００２１】
本適用例によれば、排出ローラーを案内面形成部材の回転軸方向における中央部に配置しても、１枚ずつ連続して読取部によって読み取られた後、排出された媒体が、先行する媒体の上に重なった状態で排出用載置部に載置される。
【００２２】
［適用例９］上記媒体搬送装置と、前記媒体に画像を記録する記録部と、を備えた記録装置。
【００２３】
本適用例によれば、排出ローラーを案内面形成部材の回転軸方向における中央部に配置しても、１枚ずつ連続して記録部によって記録された後、排出された媒体が、先行する媒体の上に重なった状態で排出用載置部に載置される。
【図面の簡単な説明】
【００２４】
【図１】複合機の外観斜視図。
【図２】画像読取装置の外観斜視図。
【図３】画像読取装置の外観斜視図。
【図４】画像読取装置の概略構成を示す側面図。
【図５】媒体搬送装置の内部と原稿台カバー部を示す斜視図。
【図６】案内面形成部材が備えられた部分を上側から見た図。
【図７】案内面形成部材が備えられた部分を上側から見た図。
【図８】案内面形成部材が備えられた部分を上流側から見た図。
【図９】案内面形成部材が備えられた部分を上流側から見た図。
【図１０】案内面形成部材の一方の端部を示す斜視図。
【図１１】実施形態２における案内面形成部材の一方の端部を示す斜視図。
【図１２】実施形態２における案内面形成部材の一方の端部を示す斜視図。
【図１３】実施形態２における案内面形成部材の一方の端部を示す斜視図。
【図１４】実施形態２における案内面形成部材の一方の端部を示す斜視図。
【図１５】実施形態３の案内面形成部材において、排出従動ローラーの回転軸方向の外側の領域に案内面が形成された部分を示す斜視図。
【図１６】記録装置の概略構成を説明するための模式図。
【図１７】従来の案内面形成部材において、排出従動ローラーの回転軸方向の外側の領域に案内面が形成された部分を示す斜視図。
【発明を実施するための形態】
【００２５】
画像読取装置を具体化した実施形態について、図面を参照して説明する。尚、単に「上流側」、「下流側」は、排出方向Ｘにおける方向を言い、「上方」、「上側」、「下方」、「下側」は、鉛直方向Ｚにおける方向を言う。
（実施形態１）
図１は、実施形態１における複合機１の外観斜視図である。複合機１は、媒体としての用紙Ｐに記録を行う記録装置９と、記録装置９の鉛直方向Ｚにおける上側に配置された画像読取装置２とを備えている。
【００２６】
複合機１の装置本体１６に設けられた操作パネル１０は、メニュー画面等を表示するための表示部１２及び操作スイッチ等からなる操作部１１を備えている。例えば操作部１１を操作することで、スキャン要求が複合機１に与えられる。また、複合機１と通信ケーブルを通じて接続されたパーソナルコンピューター（不図示）等からなるホスト装置からもスキャン要求を複合機１に与えることができる。スキャン要求は例えばスキャンジョブとして与えられる。
【００２７】
記録装置９は、装置本体１６の下部に装着されたカセット１５から給送された用紙Ｐに記録する。記録後の用紙Ｐは装置本体１６の排出口１３から排出トレイ１４上に排出される。複合機１は、記録、画像読取及びコピーの機能を備える。コピーは、画像読取装置２が読み取った媒体としての原稿Ｇの画像データに基づく画像を、記録装置９が用紙Ｐに記録することで行われる。
【００２８】
画像読取装置２は、原稿Ｇを定置可能なフラットベッド型の原稿台１８（図３参照）を上部に有するスキャナー本体８と、原稿台カバー部５と、給送トレイ４と、媒体搬送装置３とを備える。
【００２９】
給送トレイ４は、上部に複数の原稿Ｇを載置し、載置された原稿Ｇが給送可能な位置に媒体搬送装置３に固定される。媒体搬送装置３は、原稿台カバー部５の上部における図面左側の位置に設けられる。原稿台カバー部５の上部には、媒体搬送装置３から排出された原稿Ｇが載置される排出トレイ６が設けられる。
【００３０】
媒体搬送装置３は、給送トレイ４上の原稿Ｇを１枚ずつ読取位置まで送り込む給送と、画像が読み取られた後の原稿Ｇを送り出す排出とを含む搬送を行う。画像が読み取られた原稿Ｇは、給送トレイ４と原稿台カバー部５との間の排出領域に向かって、媒体搬送装置３から排出方向Ｘに順次排出され、排出トレイ６に載置される。
【００３１】
図２は、図１の複合機１から取り外した画像読取装置２の外観斜視図である。給送トレイ４には、セットされた原稿Ｇの両サイドをガイドするエッジガイド７ａ，７ｂが設けられている。エッジガイド７ａ，７ｂは、原稿Ｇの幅方向Ｙ（以降は、幅方向Ｙと言う）に変位可能に設けられ、また、図示を省略するラックピニオン機構によって、互いに近接する方向に、または互いに離間する方向に変位可能に設けられる。
【００３２】
図３は、原稿台カバー部５を回動し、原稿台１８に対して開けた状態の画像読取装置２の外観斜視図である。原稿台カバー部５は、給送トレイ４と媒体搬送装置３を備えた状態で、不図示のヒンジを介してスキャナー本体８に対して回動可能に連結されている。
【００３３】
スキャナー本体８の上面には、原稿台１８，１９が設けられている。原稿台１８は、ガラスなどの透明部材によって構成されており、媒体搬送装置３を用いない読み取りを行う場合に原稿を載置する原稿載置面を形成する。原稿台１９は、媒体搬送装置３により読み取り位置に搬送された原稿Ｇを支持する。
【００３４】
原稿台カバー部５の下部には原稿マット１７が設けられており、原稿台１８に載置された原稿（不図示）は、原稿台カバー部５が閉じられると、原稿マット１７により押圧され、原稿の被読み取り面が原稿台１８に密着する。
【００３５】
図４は、幅方向Ｙから見た図で、画像読取装置２の概略構成を示す側面図である。画像読取装置２はフラットベッド型のスキャナーであり、原稿台１８，１９に対して移動可能な読取部３５が、原稿台１８，１９の下側に設けられている。
【００３６】
原稿読み取り手段としての読取部３５は、原稿台１８，１９に向けて光を照射し、またその反射光を受光して原稿の情報を読み取る光学ユニットとして構成され、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学ユニットとして構成される。
【００３７】
読取部３５は主走査方向（幅方向Ｙ）に延設されるとともに、副走査方向（排出方向Ｘ）に移動可能なキャリッジ３６に設けられている。キャリッジ３６は、副走査方向に延設されたガイド部材３８によりガイドされながら、不図示のモーターの動力を受けて、副走査方向に移動する。
【００３８】
尚、原稿台１８に載置された原稿を読み取る場合、読取部３５は副走査方向に移動しながら読み取りを行う。一方、媒体搬送装置３により搬送される原稿Ｇを読み取る場合、読取部３５は原稿台１９の下側に停止し（図４の状態）、その停止状態を維持する。
【００３９】
媒体搬送装置３における原稿Ｇの搬送経路を説明する。破線Ａは、媒体搬送装置３内を搬送される原稿Ｇの通過軌跡を示している。複数枚の原稿Ｇをセット可能な給送トレイ４は、不図示の、リンク機構及びモーターにより構成される昇降機構によって、最上位の原稿Ｇが給送ローラー２０に当接する姿勢（上昇姿勢）と、給送ローラー２０から待避する姿勢（下降姿勢）と、を切り換え可能となっている。
【００４０】
規制面３４は、給送トレイ４にセットされた原稿Ｇの先端位置が規制される。給送トレイ４の先端（送り出し方向先端）の上方に設けられた給送ローラー２０は、図示を省略するモーターによって駆動される。給送ローラー２０は、外周面が高摩擦材（ゴム）により形成されている。
【００４１】
給送ローラー２０は、上下方向に変位可能に設けられ、給送トレイ４が下降姿勢にあるときは、実線で示す給送ローラー２０は下降した位置にあり、給送トレイ４が上昇すると、破線で示す給送ローラー２０は原稿Ｇによって押し上げられる。そして給送トレイ４、給送ローラー２０がともに上昇した状態で給送ローラー２０が回転駆動することにより、最上位の原稿Ｇが媒体搬送装置３の内部に給送される。
【００４２】
給送ローラー２０の給送方向における下流側には、図示を省略するモーターによって正転方向に駆動される分離ローラー２１と、この分離ローラー２１との間で原稿Ｇをニップするリタードローラー２２とが対向配置されている。分離ローラー２１及びリタードローラー２２は、ともに外周面が高摩擦材（例えば、ゴム）により形成されている。
【００４３】
リタードローラー２２は所定の回転抵抗が付与されるとともに、従動回転可能に設けられている。そして給送ローラー２０によって給送された最上位の原稿Ｇが、分離ローラー２１とリタードローラー２２とによってニップされた状態で搬送され、また、次位以降の原稿Ｇの重送が防止される。
【００４４】
分離ローラー２１及びリタードローラー２２より下流側の搬送経路には、搬送ローラー対２３、２４、２５、２６が設けられており、これら複数の搬送ローラー対によって原稿Ｇは搬送経路を搬送される。搬送ローラー対２３から搬送ローラー対２５に向かう搬送経路は、原稿Ｇを湾曲反転させる湾曲反転経路となっている。
【００４５】
搬送ローラー対２６の下流側には、排出ローラー対２７が備えられる。原稿台１９の位置で読み取りの行われた原稿Ｇは、排出ローラー対２７によって、排出トレイ６に向かって排出方向Ｘに排出される。搬送ローラー対２３〜２６、排出ローラー対２７は、一方のローラーが、不図示のモーターにより回転駆動され、他方のローラーが従動回転する。
【００４６】
搬送ローラー対２５と搬送ローラー対２６の間では、原稿Ｇは原稿台１９の上面に到達する。この位置では読取部３５が停止しており、原稿Ｇの搬送動作を利用して、読取部３５によるスキャニングが行われる。
【００４７】
搬送ローラー対２６と排出ローラー対２７との間には、読取部３５による原稿Ｇの読取面（表面）と反対側の面（裏面）を搬送経路の途中で読み取り可能な読取部３７が配置されている。このため、画像読取装置２は媒体搬送装置３を用いたときは、原稿Ｇの両面の読取りが可能である。
【００４８】
原稿センサー３９は、給送トレイ４上の原稿Ｇの有無を検知する為の接触式センサーである。原稿センサー３０，３１，３２，３３は、原稿Ｇの通過を検出する為の原稿センサーである。原稿センサー３０〜３３は接触式センサー或いは光学式センサーで構成することができる。画像読取装置２の制御部（不図示）は、これらの原稿センサー３０〜３３によって、原稿Ｇの搬送制御を行うことができる。
【００４９】
排出ローラー対２７は、排出駆動ローラー２９と、排出従動ローラー２８とによって構成される。排出従動ローラー２８は、案内面形成部材４０に支持される。
【００５０】
案内面形成部材４０の下流側には、下流側に向かって案内面形成部材４０の上端部から載置面６ａに下がる段差Ｂ１が設けられる。排出ローラー対２７のニップ位置は、案内面形成部材４０の上端部より上方の位置に配置される。そのため、排出ローラー対２７によって順次排出された原稿Ｇは、段差Ｂ１を落下し、排出トレイ６に積み重ねられるようにして載置される。
【００５１】
図５は、媒体搬送装置３の内部と原稿台カバー部５を示す斜視図である。図５は、図２の媒体搬送装置３のカバー３ａ、原稿台カバー部５の周囲のカバー５ａ，５ｂ、給送トレイ４などを取り外した状態の斜視図である。
【００５２】
搬送ローラー対２６は、搬送駆動ローラー２６ａと、搬送駆動ローラー２６ａの駆動回転により従動回転する搬送従動ローラー２６ｂとから構成される。排出ローラー対２７は、排出駆動ローラー２９と、排出駆動ローラー２９の駆動回転により従動回転する排出従動ローラー２８とから構成される。
【００５３】
搬送駆動ローラー２６ａ、排出駆動ローラー２９は、幅方向Ｙにおける中央部に４個それぞれ配置される。搬送駆動ローラー２６ａおよび排出駆動ローラー２９は、不図示のモーターによって回転駆動する回転軸４４，４３によってそれぞれ回転駆動される。搬送従動ローラー２６ｂ、排出従動ローラー２８は、搬送駆動ローラー２６ａ、排出駆動ローラー２９と対向し、案内面形成部材４０の回転軸方向における中央部に配置される。
【００５４】
図６は、図５の案内面形成部材４０が備えられた部分を上側から見た図である。図６は、図５の搬送駆動ローラー２６ａ、回転軸４４を取り外し、案内面形成部材４０に備えられた搬送従動ローラー２６ｂが露出する状態を示す。
【００５５】
図７は、図６から排出駆動ローラー２９、回転軸４３を取り外し、排出従動ローラー２８が露出した状態を示す。排出従動ローラー２８は、ローラー部２８ａとローラー部２８ａの回転軸方向（幅方向Ｙ）の両側に延びる軸部２８ｂとから構成される。
【００５６】
軸部２８ｂは、案内面４１ｃの下流側の壁部を貫通し、軸部２８ｂを回転可能に支持する支持部４５に備えられる。各ローラー部２８ａは、それぞれ幅方向Ｙの両側に位置する支持部４５の間に配置される。
【００５７】
図７の第１領域Ｒ１は、４個の排出従動ローラー２８が配置された回転軸方向における範囲である。第２領域Ｒ２は、回転軸方向における第１領域Ｒ１の両外側の範囲であり、排出従動ローラー２８が配置されていない範囲である。第１領域Ｒ１と第２領域Ｒ２の境界は、図７に示すように、幅方向Ｙの両外側に配置された一対の排出従動ローラー２８の軸部２８ｂの両外側の端部の位置である。
【００５８】
画像読取装置２は、幅方向Ｙの長さが異なる原稿Ｇの読取が可能である。第１領域Ｒ１の幅方向の長さは、最小サイズの原稿Ｇの幅方向Ｙの長さに対応し、最小サイズの原稿Ｇは、排出ローラー対２７によって挟持されて搬送可能である。
【００５９】
案内面形成部材４０には、搬送従動ローラー２６ｂの上流側に、原稿Ｇを案内する案内面４１ａが形成される。案内面４１ａは、図４の搬送ローラー対２５，２６によって搬送される原稿Ｇの搬送面となる。
【００６０】
排出従動ローラー２８と搬送従動ローラー２６ｂとの間には、原稿Ｇを案内する案内面４１ｂ，４１ｃ，４１ｄが形成される。案内面４１ｂ，４１ｃ，４１ｄは、図４の搬送ローラー対２６、排出ローラー対２７によって搬送される原稿Ｇの搬送面となる。案内面４１ｂは、図４の読取部３７が対向する位置に設けられ、最大サイズの原稿Ｇの幅方向Ｙの長さに亘って延設される。
【００６１】
図７の案内面４１ｃ，４１ｄは、案内面４１ｂの下流側に設けられ、排出方向Ｘにおいて重なる位置に配置される。案内面４１ｃの下流側は、第１領域Ｒ１の範囲に形成され、案内面４１ｃの上流側は、下流側から上流側に向かって幅方向Ｙの長さが拡がるようにして形成され、最も上流側は、最大サイズの原稿Ｇの幅方向Ｙの長さに亘って延設される。
【００６２】
案内面４１ｄは、幅方向Ｙにおいて第１領域Ｒ１の両外側の第２領域Ｒ２に形成される。案内面４１ｃの幅方向Ｙの両外側の端部の位置は、一対の案内面４１ｄの幅方向Ｙの外側の端部の位置と同じである。
【００６３】
排出方向Ｘにおいて、案内面４１ｄにおける下流側は、支持部４５と重なる位置に形成される。案内面４１ｄの下流側には、案内面４１ｄと接続され、下流側に向かって下がる傾斜面４２ｃが形成される。
【００６４】
図８は、図５の案内面形成部材４０が備えられた部分を上流側から見た図である。図９は、図８から排出駆動ローラー２９、回転軸４３を取り外した状態を示す。
【００６５】
幅方向Ｙにおいて、第１領域Ｒ１すなわち４個の排出従動ローラー２８が配置された範囲には、支持部４５の下側に位置して鉛直方向Ｚに延びる鉛直壁面４２ａが形成される。
【００６６】
幅方向Ｙにおいて、第２領域Ｒ２すなわち４個の排出従動ローラー２８が配置された範囲の外側には、傾斜面４２ｃの下側に位置して鉛直方向Ｚに延びる鉛直壁面４２ｂが、図面左右方向の両側にそれぞれ形成される。すなわち、鉛直壁面４２ｂは、鉛直壁面４２ａの幅方向Ｙの両側に形成される。
【００６７】
鉛直壁面４２ａ，４２ｂ、傾斜面４２ｃによって、案内面４１ｄ、支持部４５の上側端部４５ｂと図５の排出トレイ６の載置面６ａとの間に段差Ｂ１が形成される。
【００６８】
図１０は、案内面形成部材４０の一方の端部を示す斜視図である。案内面４１ａ，４１ｂは、鉛直方向Ｚに対して傾斜した面である。案内面４１ｃは、略水平方向の面である。排出方向Ｘにおいて、鉛直壁面４２ａは、支持部４５の下流側端部４５ａと同じ位置に形成される。
【００６９】
排出方向Ｘにおいて、案内面４１ｄ、傾斜面４２ｃ、鉛直壁面４２ｂは、支持部４５における下流側端部４５ａより上流側に形成される。鉛直壁面４２ｂの下流側端部４５ａからの排出方向Ｘの距離Ｌ１（図７参照）は、鉛直壁面４２ｂにおける位置が幅方向Ｙにおいて外側に位置するほど長くなる。すなわち、鉛直壁面４２ｂにおける位置は、幅方向Ｙにおいて外側に位置するほど上流側に位置する。
【００７０】
同様に、案内面形成部材４０における幅方向Ｙの他方の側の、案内面４１ｄ、傾斜面４２ｃ、鉛直壁面４２ｂも支持部４５における下流側端部４５ａより上流側に形成され、鉛直壁面４２ｂにおける位置は、幅方向Ｙにおいて外側に位置するほど上流側に位置する（図７参照）。
【００７１】
前述したように、鉛直方向Ｚにおいて、案内面４１ｄと載置面６ａとの間には、傾斜面４２ｃ、鉛直壁面４２ｂが形成されており、段差Ｂ１が形成される。案内面４１ｄにおける段差Ｂ１の位置の上端部Ｃ１は、幅方向Ｙにおいて外側に位置するほど上流側に位置する。
【００７２】
図１０の案内面４１ｄは、支持部４５における上側端部４５ｂより、下側に形成される。案内面４１ｄを下流側から見た断面形状は、幅方向Ｙの外側に向かって下がる傾斜面が形成される。従って、案内面４１ｄの上側端部４５ｂからの鉛直方向Ｚにおける距離Ｌ２（図９参照）は、案内面４１ｄの位置が幅方向Ｙにおいて外側に位置するほど、長くなる。すなわち、案内面４１ｄの位置が幅方向Ｙにおいて外側に位置するほど下側に位置する。
【００７３】
同様に、案内面形成部材４０における幅方向Ｙの他方の側の案内面４１ｄも支持部４５の上側端部４５ｂより下側に形成され、案内面４１ｄの位置が幅方向Ｙにおいて外側に位置するほど下側に位置する（図９参照）。
【００７４】
（比較例）
図１７（ａ）は、比較例における案内面形成部材８０の幅方向Ｙの一方の側を示す斜視図である。案内面４１ｚは、案内面４１ａ，４１ｂの下流側に形成される。排出従動ローラー２８は、ローラー部２８ａと軸部２８ｂとで構成される。軸部２８ｂは、案内面形成部材８０に設けられた支持部４５に回転可能に支持される。
【００７５】
案内面４１ｚは、幅方向Ｙにおいて、排出従動ローラー２８が配置された範囲の第１領域に形成された案内面４１ｚ１と、第１領域の外側の第２領域に形成された案内面４１ｚ２とが連続して形成される。
【００７６】
案内面４１ｚ２の下流側には、鉛直壁面４２ｚが形成され、排出トレイ６の載置面６ａと案内面４１ｚ２との間には段差Ｄが形成される。案内面４１ｚ２の鉛直方向Ｚにおける位置は、軸部２８ｂを支持する支持部４５の上側端部４５ｂの位置にある。鉛直壁面４２ｚの排出方向Ｘにおける位置は、支持部４５の下流側端部４５ａの位置にある。従って、案内面４１ｚ２の段差Ｄの位置の上端部Ｅの位置は、支持部４５の下流側端部４５ａの位置にある。
【００７７】
図１７（ｂ）は、排出ローラー対２７（図５参照）によって排出された原稿Ｇ１の後端側を上側から見た図である。図１７（ａ）、（ｂ）に示すように、原稿Ｇ１が排出方向Ｘに対して傾斜した姿勢で排出ローラー対２７によって排出されると、原稿Ｇ１の排出方向Ｘの後端側で幅方向Ｙの端部Ｇ１ａが、案内面４１ｚ２の段差Ｄの位置の上端部Ｅに残ってしまうことがある。
【００７８】
図１７（ｃ）は、上流側から見た図で、排出ローラー対２７によって排出された原稿Ｇ１の後端部と、案内面４１ｚ２に沿って排出ローラー対２７によって排出されようとする後続の原稿Ｇ２の先端部を示す図である。先行する原稿Ｇ１の端部Ｇ１ａが、案内面４１ｚ２の段差Ｄの位置の上端部Ｅに残ってしまうと、図１７（ｃ）に示すように、上流側から見ると、先行する原稿Ｇ１の後端部と後続の原稿Ｇ２の先端部とが交差する状態となる。
【００７９】
そのため、図１７（ａ）の破線で示した後続の原稿Ｇ２は、先行する原稿Ｇ１を下流側に向かって押し出し、原稿Ｇ１が載置面６ａに載置されなかったり、原稿Ｇ１，Ｇ２は、排出方向Ｘに対して湾曲した形状となってしまう。従って、原稿Ｇ１の上に原稿Ｇ２が積み重なった状態にならない。
【００８０】
以上、本実施形態で説明した図２の画像読取装置２は、給送用載置部としての給送トレイ４に載置された異なるサイズの原稿Ｇを取り出して搬送し、排出用載置部としての排出トレイ６の載置面６ａに向かって排出する媒体搬送装置３であって、原稿Ｇを挟持して搬送し、図５の排出方向Ｘに排出する排出ローラー対２７と、載置面６ａと段差Ｂ１を介して載置面６ａの上方に位置し、原稿Ｇを案内する図７の案内面４１ｃ，４１ｄを形成し、排出ローラー対２７のうちの一方の排出ローラーとしての排出従動ローラー２８を、原稿Ｇの最小サイズに対応する回転軸方向（幅方向Ｙ）における範囲である第１領域Ｒ１に全て配置して支持する案内面形成部材４０と、を備える。
【００８１】
そして、排出方向Ｘにおける案内面形成部材４０において、鉛直壁面４２ｂ（第２領域Ｒ２における下流側端部）が、支持部４５の下流側端部４５ａ（第１領域Ｒ１における下流側端部）よりも上流側に位置し、且つ、排出従動ローラー２８におけるローラー部２８ａの下流側端部２８ａ１より上流側に位置する。
【００８２】
この構成によれば、排出ローラー対２７が配置された範囲より長い幅の原稿Ｇを排出させたとき、原稿Ｇの排出方向Ｘの後端側における幅方向Ｙの片側端部が、案内面４１ｄの段差Ｂ１の位置にある上端部Ｃ１（図１０参照）に接触することなく、排出トレイ６に落下する。すなわち、原稿Ｇの後端部における幅方向Ｙの片側端部が、案内面４１ｄの上端部Ｃ１に当接した状態で残らない。そのため、先行する原稿Ｇが、後続の原稿Ｇによって押し出されてしまい、排出トレイ６に載置されなかったり、先行する原稿Ｇや後続の原稿Ｇが排出方向Ｘにおいて湾曲した状態となったりすることを抑制できる。従って、排出従動ローラー２８を案内面形成部材４０の回転軸方向における中央部に配置しても、１枚ずつ連続して排出された原稿Ｇが、先行する原稿Ｇの上に重なった状態で排出トレイ６に載置される。
【００８３】
また、鉛直壁面４２ｂは、回転軸方向において外側に位置するほど、排出方向Ｘにおいて支持部４５の下流側端部４５ａより上流側に位置する。
【００８４】
これにより、排出される原稿Ｇの幅方向Ｙの長さが長くなるほど、傾斜した原稿Ｇの後端側における幅方向Ｙの片側端部がさらに上流側に位置しても、原稿Ｇの後端側における幅方向Ｙの片側端部が案内面４１ｄの上端部Ｃ１に接触する可能性が低くなる。従って、案内面４１ｄによって搬送可能な最大幅の原稿Ｇが排出方向Ｘに対して傾斜しても、原稿Ｇの片側端部が案内面４１ｄの段差Ｂ１の位置の上端部Ｃ１に接触する可能性が低くなる。
【００８５】
排出ローラー対２７が案内面形成部材４０の回転軸方向における中央部に配置されていると、原稿Ｇの排出ローラー対２７の幅方向Ｙの外側は、排出ローラー対２７のニップ位置より下側に垂れ下がった形状になる。本実施形態の案内面４１ｄ（第２領域Ｒ２に形成された案内面の下流側部分）は、案内面４１ｃ（第１領域Ｒ１に形成された案内面の部分）より下方に位置する。
【００８６】
これにより、原稿Ｇが排出されるとき、原稿Ｇの排出ローラー対２７の幅方向Ｙの外側が垂れ下がった形状になっても、原稿Ｇの後端側における幅方向Ｙの片側端部が案内面４１ｄの上端部Ｃ１に接触する可能性が低くなる。
【００８７】
また、案内面４１ｄは、回転軸方向において外側に位置するほど、支持部４５の上側端部４５ｂより下側に位置する。
【００８８】
これにより、排出される原稿Ｇの幅方向Ｙの長さが長くなるほど、傾斜した原稿Ｇの後端側における幅方向Ｙの片側端部がさらに垂れ下がった形状になっても、原稿Ｇの後端側における幅方向Ｙの片側端部が案内面４１ｄの上端部Ｃ１に接触する可能性が低くなる。従って、案内面によって搬送可能な最大幅の原稿Ｇを排出させたとき、原稿Ｇの後端側における幅方向の片側端部が、案内面４１ｄの段差Ｂ１の位置の上端部Ｃ１に接触する可能性が低くなる。
【００８９】
また、案内面４１ｄは、下流側に位置するほど、下方に位置する。これにより、原稿Ｇが排出されるとき、原稿Ｇの後端側における幅方向Ｙの片側端部が、案内面４１ｄに沿って下流側および下方にスライド移動し、案内面４１ｄの上端部Ｃ１に残る可能性が低くなる。
【００９０】
また、案内面４１ｄは、排出方向Ｘに向かって下がる傾斜面４２ｃを介して段差Ｂ１を形成する鉛直壁面４２ｂと接続される。
【００９１】
この構成によれば、原稿Ｇが排出されるとき、原稿Ｇの後端側における幅方向Ｙの片側端部が傾斜面４２ｃに沿って下流側および下方にスライド移動し、排出トレイ６に落下する。
【００９２】
（実施形態２）
実施形態１で説明した案内面形成部材４０では、第２領域Ｒ２の下流側端部の位置が、幅方向Ｙの外側に位置するほど、上流側に位置したが、実施形態２では、第２領域の下流側端部の位置が、幅方向Ｙの全長に亘って排出方向Ｘにおいて同じ位置にある案内面形成部材について説明する。
【００９３】
図１１は、実施形態２における案内面形成部材５０の一方の端部を示す斜視図である。案内面４１ｅは、幅方向Ｙにおいて、排出従動ローラー２８が配置された第１領域に形成された案内面４１ｅ１と、第１領域の外側の第２領域に形成された案内面４１ｅ２とが連続して形成される。
【００９４】
案内面４１ｅ１，４１ｅ２は、水平方向の面であり、案内面４１ｅ１，４１ｅ２の鉛直方向Ｚにおける位置は、支持部４５の上側端部４５ｂの位置にある。
【００９５】
案内面形成部材５０の下流側には、鉛直方向Ｚに延びる鉛直壁面４２ｄ，４２ｅが形成される。幅方向Ｙにおいて、鉛直壁面４２ｄは、排出従動ローラー２８の位置に形成され、鉛直壁面４２ｅは、案内面４１ｅ２と接続され、排出従動ローラー２８の外側に形成される。
【００９６】
排出方向Ｘにおいて、鉛直壁面４２ｅの位置は、支持部４５の下流側端部４５ａの位置より上流側にある。案内面４１ｅ２の段差Ｂ２の位置の上端部Ｃ２の排出方向Ｘにおける位置は、幅方向Ｙの全長に亘って同じ位置にある。
【００９７】
このような構成により、原稿が排出方向Ｘに対して傾斜した姿勢で排出ローラー対２７によって排出されても、原稿の排出方向Ｘの後端側における幅方向Ｙの片側端部が、案内面４１ｅ２の段差Ｂ２の位置の上端部Ｃ２に接触することなく、排出トレイ６に落下する。本実施形態におけるその他の構成は、実施形態１で説明した構成と同じである。
【００９８】
図１２に示すように、案内面４１ｅ１（第１領域に形成された案内面の部分）より下方に位置する案内面４１ｅ３を形成した案内面形成部材５０ａを画像読取装置に備えてもよい。案内面４１ｅ３は、案内面４１ｅ２の下流側に形成され、鉛直壁面４２ｅによって形成された段差Ｂ２ａの上端部Ｃ２ａとなる。
【００９９】
このように、案内面４１ｅ３は、案内面４１ｅ２より下流側に位置し、下方に位置するので、原稿が排出されるとき、原稿の片側端部が、案内面４１ｅ２，４１ｅ３に支持されながら排出トレイ６に向かって徐々に落下する。そのため、原稿の上流側の姿勢が水平方向に安定する。従って、案内面４１ｅ２より上流側の案内面４１ｂと対向する位置に配置された読取部３７によって読み取られる画像の品質低下を抑制できる。
【０１００】
図１３に示すように、案内面４１ｅが、排出方向Ｘに向かって下がる傾斜面４１ｅ４を介して段差Ｂ２ｂを形成する鉛直壁面４２ｅと接続される案内面形成部材５０ｂを画像読取装置に備えてもよい。
【０１０１】
このような構成により、原稿が排出されるとき、原稿の片側端部が、傾斜面４１ｅ４に沿って下流側および下方にスライド移動し、排出トレイ６に落下する。そのため、原稿の搬送方向における上流側の姿勢が水平方向にさらに安定する。
【０１０２】
図１４の案内面形成部材５０ｃの段差Ｂ２ｃを形成する鉛直壁面４２ｅは、支持部４５の下流側端部４５ａより上流側の位置に設けられ、案内面４１ｅ２の段差Ｂ２ｃの位置の上端部Ｃ２ｃの幅方向Ｙの外側には、下流側に突出する案内面４１ｅ５が形成される。このような案内面形成部材５０ｃも本発明に適用する。
【０１０３】
（実施形態３）
図１５は、実施形態３の案内面形成部材５１において、排出従動ローラー２８の回転軸方向の外側の領域に案内面４１ｆ２が形成された部分を示す斜視図である。案内面形成部材５１は、原稿Ｇの最小サイズに対応する幅方向Ｙの範囲の第１領域Ｒ３に、排出従動ローラー２８を配置して支持する。
【０１０４】
案内面４１ｆは、幅方向Ｙにおいて、排出従動ローラー２８が配置された第１領域に形成された案内面４１ｆ１と、第１領域の外側の第２領域Ｒ４に形成された案内面４１ｆ２とが連続して形成される。案内面４１ｆ２の下流側部分には、摩擦部材４６が設けられる。
【０１０５】
鉛直方向Ｚにおいて、摩擦部材４６の上面４６ａの位置は、案内面４１ｆ２と同じ位置にある。摩擦部材４６の上面４６ａは、原稿Ｇの案内面として構成され、案内面４１ｆ２の段差Ｂ３の位置の上端部として構成される。
【０１０６】
摩擦部材４６の上面４６ａの摩擦係数は、第１領域に形成された案内面４１ｆ１および第２領域に形成された案内面４１ｆ２の摩擦係数より小さい。これにより、原稿Ｇが排出方向Ｘに対して傾斜した姿勢で排出されても、原稿Ｇの排出方向Ｘの後端側における幅方向Ｙの片側端部が、摩擦部材４６の上面４６ａに沿って下流側にスライド移動し、排出トレイ６に落下する。すなわち、原稿Ｇの排出方向Ｘの後端側における幅方向Ｙの片側端部が、案内面４１ｆ２の段差Ｂ３の位置の上端部に当接した状態で残らない。本実施形態におけるその他の構成は、実施形態１で説明した構成と同じである。
【０１０７】
以上、読取部３５，３７を備えた画像読取装置について説明したが、本発明は、記録部を備えた記録装置にも適用できる。図１６は、記録装置６０の概略構成を説明するための模式図である。給送用載置部としての給送トレイ６２は、回動軸６１を支点として矢印方向に揺動可能に備えられる。媒体としての用紙Ｐは、壁部６４に設けられた規制面６４ａに下端部が規制された状態で給送トレイ６２に載置される。
【０１０８】
給送トレイ６２が給送ローラー６３に近接する方向に揺動すると、最上位にある用紙Ｐは、回転する給送ローラー６３に当接し、搬送ローラー対６７側に給送される。用紙Ｐは、搬送ローラー対６７を構成する搬送駆動ローラー６５と搬送従動ローラー６６とによって挟持され、用紙支持部６８の上面６８ａに沿って下流側に搬送される。
【０１０９】
用紙支持部６８の上方には、インクを噴射する記録ヘッド８３を下部に備えたキャリッジ８２が、ガイド部８１に沿って用紙Ｐの幅方向Ｙに往復移動可能に備えられる。記録ヘッド８３は往復移動しながら、搬送される用紙Ｐに対してインクを噴射し、用紙Ｐに画像を記録する。
【０１１０】
記録ヘッド８３によって記録された用紙Ｐは、排出ローラー対７３側に搬送される。排出ローラー対７３は、排出駆動ローラー７１と排出従動ローラー７２とによって構成される。排出従動ローラー７２の軸部（不図示）は、案内面形成部材７０に設けられた支持部（不図示）に支持される。
【０１１１】
案内面形成部材７０には、排出方向Ｘにおいて、排出従動ローラー７２の上流側の位置に案内面７０ａが形成され、排出従動ローラー７２の位置に案内面７０ｂが形成される。幅方向Ｙにおいて、案内面７０ａは、用紙Ｐの幅方向Ｙに亘って延在し、案内面７０ｂは、排出従動ローラー７２の幅方向Ｙの外側に延在する。
【０１１２】
案内面形成部材７０の下流側には、排出用載置部としての排出トレイ７４が備えられる。案内面形成部材７０と排出トレイ７４との間には、段差Ｆが設けられ、案内面７０ｂは、排出トレイ７４の載置面７４ａから上方の位置にある。
【０１１３】
給送トレイ６２から給送ローラー６３によって、１枚ずつ給送トレイ６２から給送された用紙Ｐは、搬送ローラー対６７によって搬送され、記録ヘッド８３によって記録される。記録された用紙Ｐは、排出ローラー対７３によって搬送され、排出トレイ７４に順次、排出される。
【０１１４】
ガイド部８１に往復移動可能に備えられたキャリッジ８２、キャリッジ８２の下部に備えられた記録ヘッド８３を含んで記録部８０が構成される。搬送ローラー対６７、用紙支持部６８、案内面形成部材７０、排出ローラー対７３を含んで媒体搬送装置６９が構成される。
【０１１５】
本発明は、このような記録部８０と媒体搬送装置６９を備えた記録装置６０にも適用する。尚、記録部は、用紙の幅方向Ｙの全長に亘ってインクを噴射するノズルが形成され、記録装置の装置本体に対して固定された記録ヘッドによって構成してもよい。また、記録部は、感光体ドラムを備えた電子写真方式の記録装置にも適用する。
【符号の説明】
【０１１６】
２…画像読取装置、３…媒体搬送装置、４，６２…給送トレイ、６，７４…排出トレイ、６ａ…載置面、２７，７３…排出ローラー対、２８，７２…排出従動ローラー、３５，３７…読取部、４０，５０，５０ａ，５０ｂ，５０ｃ，５１，７０…案内面形成部材、４１ａ，４１ｂ，４１ｃ，４１ｄ，４１ｅ，４１ｅ１，４１ｅ２，４１ｅ３，４１ｆ，４１ｆ１，４１ｆ２，７０ｂ…案内面、４２ｃ，４１ｅ４…傾斜面、４２ｂ…鉛直壁面、４５…支持部、４５ａ…下流側端部、４５ｂ…上側端部、４６…摩擦部材、６０…記録装置、８０…記録部、Ｂ１，Ｂ２，Ｂ２ａ，Ｂ２ｂ，Ｂ２ｃ，Ｂ３，Ｆ…段差、Ｃ１，Ｃ２，Ｃ２ａ，Ｃ２ｃ…上端部、Ｇ，Ｇ１，Ｇ２…原稿、Ｐ…用紙、Ｘ…排出方向、Ｙ…幅方向、Ｚ…鉛直方向。
【図１】
2016160067.tif 000003
【図２】
2016160067.tif 000004
【図３】
2016160067.tif 000005
【図４】
2016160067.tif 000006
【図５】
2016160067.tif 000007
【図６】
2016160067.tif 000008
【図７】
2016160067.tif 000009
【図８】
2016160067.tif 000010
【図９】
2016160067.tif 000011
【図１０】
2016160067.tif 000012
【図１１】
2016160067.tif 000013
【図１２】
2016160067.tif 000014
【図１３】
2016160067.tif 000015
【図１４】
2016160067.tif 000016
【図１５】
2016160067.tif 000017
【図１６】
2016160067.tif 000018
【図１７】
2016160067.tif 000019